(57)【要約】【課題】  異線異相間ショートが生じた場合であっても、電線の発熱を抑制することを可能とする誘電コイル及び画像形成装置を提供する。【解決手段】  誘電コイル１００は、絶縁皮膜によって被覆された電線１１１〜電線１１３によって構成された電線の束１１０が巻き回されたコイル本体１２０を有する。電線１１１〜電線１１３は、駆動基板２００において電線１１１〜電線１１３の一端及び他端をショートさせた第１ショート部１３０及び第２ショート部１４０とを有する。電線１１１〜電線１１３は、第１ショート部１３０と第２ショート部１４０との間において、電線の束１１０内で電線１１１〜電線１１３をショートさせた中間ショート部１５１〜中間ショート部１５２を有する。【選択図】  図１
2009258189.tif 000002
【特許請求の範囲】
【請求項１】
絶縁皮膜によって被覆された複数の電線によって構成された電線の束が巻き回されたコイル本体を有する誘電コイルであって、
前記複数の電線の一端及び他端は、前記複数の電線に高周波電流を供給する駆動基板に接続されており、
前記複数の電線は、前記駆動基板において前記複数の電線の一端をショートさせた第１ショート部と、前記駆動基板において前記複数の電線の他端をショートさせた第２ショート部とを有しており、
前記複数の電線は、前記第１ショート部と前記第２ショート部との間において、前記電線の束内で前記複数の電線をショートさせた中間ショート部を有することを特徴とする誘電コイル。
【請求項２】
前記複数の電線は、前記コイル本体を構成する本体部分と、前記コイル本体から前記駆動基板に至る延長部分とを有しており、
前記中間ショート部は、前記本体部分と前記延長部分との境界に設けられることを特徴とする請求項１に記載の誘電コイル。
【請求項３】
前記複数の電線は、前記コイル本体を構成する本体部分を有しており、
前記中間ショート部は、前記本体部分に設けられることを特徴とする請求項１に記載の誘電コイル。
【請求項４】
前記中間ショート部は、前記コイル本体における前記電線の束のひと巻き毎に設けられることを特徴とする請求項３に記載の誘電コイル。
【請求項５】
トナーによって構成されるトナー像をシート上に形成する画像形成装置であって、
前記シート上に形成された前記トナー像を加熱する加熱ローラを有する定着装置と、
絶縁皮膜によって被覆された複数の電線によって構成された電線の束が巻き回されたコイル本体を有しており、前記加熱ローラを電磁誘導によって発熱させる誘電コイルと、
前記複数の電線の一端及び他端が接続されており、前記複数の電線に高周波電流を供給する駆動基板とを備え、
前記複数の電線は、前記駆動基板において前記複数の電線の一端をショートさせた第１ショート部と、前記駆動基板において前記複数の電線の他端をショートさせた第２ショート部とを有しており、
前記複数の電線は、前記第１ショート部と前記第２ショート部との間において、前記電線の束内で前記複数の電線をショートさせた中間ショート部を有することを特徴とする画像形成装置。
【発明の詳細な説明】
【技術分野】
【０００１】
本発明は、絶縁皮膜によって被覆された複数の電線によって構成された電線の束が巻き回された誘電コイル、及び、誘電コイルを有する画像形成装置に関する。
【背景技術】
【０００２】
従来、トナーによって構成されるトナー像を紙などのシート上に形成する画像形成装置が知られている。このような画像形成装置は、シート上に形成されたトナー像を熱圧着によってシート上に定着させる定着装置を有する。
【０００３】
具体的には、定着装置は、加熱ローラと加圧ローラとを有する。定着装置は、加熱ローラと加圧ローラとの間にシートを挟み、加熱ローラ及び加圧ローラの回動によってシートを搬送する。加熱ローラは、シート上に形成されたトナー像を加熱する。加圧ローラは、トナー像が形成されたシートを加圧する。
【０００４】
ここで、加熱ローラを発熱させる方法として、電磁誘導を利用する技術が提案されている（例えば、特許文献１）。
【０００５】
具体的には、定着装置は、導電体によって構成される加熱ローラと、絶縁皮膜によって被覆された電線が螺旋状に巻き回された誘電コイルとを有する。電線の一端及び他端は、高周波電流を電線に供給する駆動基板に接続される。誘電コイルは、高周波電流によって高周波磁界を発生させる。高周波磁界によって加熱ローラに誘導電流が流れ、加熱ローラが発熱する。
【特許文献１】特開２００１−３１９７６３号公報
【発明の開示】
【発明が解決しようとする課題】
【０００６】
ところで、高周波電流が誘電コイルに供給された際において、表皮効果のインピーダンスの上昇を防ぐために、各電線は細い方が好ましい。従って、一般的には、誘電コイルでは、複数の電線によって構成された電線の束が巻き回されている。ここでは、誘電コイルにおいて、電線の束のひと巻きを「相」と称する。すなわち、誘電コイルは、複数の相によって構成される。また、複数の電線に高周波電流を容易に供給するために、駆動基板において複数の電線をショートさせることが一般的である。
【０００７】
このような誘電コイルにおいて、互いに異なる電線の異相間におけるショート（異線異相間ショート）が生じてしまった場合には、異線異相間ショートが生じた電線が閉ループを構成する。閉ループには、誘電コイルが発生させる高周波磁界によって誘導電流が流れてしまう。すなわち、上述した加熱ローラと同様に、閉ループを構成する電線が発熱してしまう。
【０００８】
そこで、本発明は、上述した課題を解決するためになされたものであり、異線異相間ショートが生じた場合であっても、電線の発熱を抑制することを可能とする誘電コイル及び画像形成装置を提供することを目的とする。
【課題を解決するための手段】
【０００９】
第１の特徴に係る誘電コイル（誘電コイル１００）は、絶縁皮膜によって被覆された複数の電線（電線１１１〜電線１１３）によって構成された電線の束（電線の束１１０）が巻き回されたコイル本体（コイル本体１２０）を有する。前記複数の電線の一端及び他端は、前記複数の電線に高周波電流を供給する駆動基板（駆動基板２００）に接続されている。前記複数の電線は、前記駆動基板において前記複数の電線の一端をショートさせた第１ショート部（第１ショート部１３０）と、前記駆動基板において前記複数の電線の他端をショートさせた第２ショート部（第２ショート部１４０）とを有する。前記複数の電線は、前記第１ショート部と前記第２ショート部との間において、前記電線の束内で前記複数の電線をショートさせた中間ショート部（中間ショート部１５１〜中間ショート部１５２）を有する。
【００１０】
第１の特徴において、前記複数の電線は、前記コイル本体を構成する本体部分（本体部分１１０Ａ）と、前記コイル本体から前記駆動基板に至る延長部分（延長部分１１０Ｂ）とを有する。前記中間ショート部は、前記本体部分と前記延長部分との境界に設けられる。
【００１１】
第１の特徴において、前記複数の電線は、前記コイル本体を構成する本体部分（本体部分１１０Ａ）を有する。前記中間ショート部は、前記本体部分に設けられる。
【００１２】
第１の特徴において、前記中間ショート部は、前記コイル本体における前記電線の束のひと巻き毎に設けられる。
【００１３】
第２の特徴に係る画像形成装置（画像形成装置１）は、トナーによって構成されるトナー像をシート上に形成する。画像形成装置は、前記シート上に形成された前記トナー像を加熱する加熱ローラ（加熱ローラ６１）を有する定着装置（定着装置６０）と、絶縁皮膜によって被覆された複数の電線（電線１１１〜電線１１３）によって構成された電線の束（電線の束１１０）が巻き回されたコイル本体（コイル本体１２０）を有しており、前記加熱ローラを電磁誘導によって発熱させる誘電コイル（誘電コイル１００）と、前記複数の電線の一端及び他端が接続されており、前記複数の電線に高周波電流を供給する駆動基板（駆動基板２００）とを備える。前記複数の電線は、前記駆動基板において前記複数の電線の一端をショートさせた第１ショート部（第１ショート部１３０）と、前記駆動基板において前記複数の電線の他端をショートさせた第２ショート部（第２ショート部１４０）とを有する。前記複数の電線は、前記第１ショート部と前記第２ショート部との間において、前記電線の束内で前記複数の電線をショートさせた中間ショート部（中間ショート部１５１〜中間ショート部１５２）を有する。
【発明の効果】
【００１４】
本発明によれば、異線異相間ショートが生じた場合であっても、電線の発熱を抑制することを可能とする誘電コイル及び画像形成装置を提供することができる。
【発明を実施するための最良の形態】
【００１５】
以下において、本発明の実施形態に係る誘電コイルについて、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［第１実施形態］
（誘電コイルの構成）
以下において、第１実施形態に係る誘電コイルについて、図面を参照しながら説明する。図１は、第１実施形態に係る誘電コイル１００の構成を示す図である。第１実施形態では、誘電コイル１００は、高周波電流によって高周波磁界を発生させる。誘電コイル１００の近傍に設けられた導電体には、誘電コイル１００が発生する高周波磁界によって誘導電流が流れる。
【００１８】
図１に示すように、誘電コイル１００は、複数の電線（電線１１１〜電線１１３）によって構成された電線の束１１０が巻き回されたコイル本体１２０を有する。電線１１１〜電線１１３の一端及び他端は、電線１１１〜電線１１３に高周波電流を供給する駆動基板２００に接続されている。
【００１９】
電線１１１〜電線１１３は、それぞれ、絶縁皮膜によって被覆されている。表皮効果によるインピーダンスの上昇を防ぐために、電線１１１〜電線１１３は細い方が好ましい。
【００２０】
電線１１１〜電線１１３は、駆動基板２００において電線１１１〜電線１１３の一端をショートさせた第１ショート部１３０を有する。電線１１１〜電線１１３は、駆動基板２００において電線１１１〜電線１１３の他端をショートさせた第２ショート部１４０を有する。
【００２１】
駆動基板２００は、第１ショート部１３０及び第２ショート部１４０を介して電線１１１〜電線１１３に高周波電流を纏めて供給する。従って、電線１１１〜電線１１３への高周波電流の供給が容易である。
【００２２】
電線１１１〜電線１１３は、第１ショート部１３０と第２ショート部１４０との間において、電線の束１１０内で電線１１１〜電線１１３をショートさせた中間ショート部（中間ショート部１５１及び中間ショート部１５２）を有する。
【００２３】
ここで、電線１１１〜電線１１３は、コイル本体１２０を構成する本体部分１１０Ａと、前記コイル本体から前記駆動基板に至る延長部分１１０Ｂとを有する。中間ショート部１５１及び中間ショート部１５２は、本体部分１１０Ａと延長部分１１０Ｂとの境界に設けられている。
【００２４】
第１ショート部１３０は、ヒュージングによって形成される。ヒュージングは、電線１１１〜電線１１３の絶縁被膜を熱で溶かすとともに、電線１１１〜電線１１３を圧着する手法である。なお、第２ショート部１４０、中間ショート部１５１及び中間ショート部１５２についても同様である。
【００２５】
但し、電線１１１〜電線１１３をショートさせる手法は、ヒュージングに限定されるものではない。例えば、電線１１１〜誘電コイル１００をショートさせる手法は、（１）はんだ槽内において電線１１１〜電線１１３の絶縁皮膜を熱で溶解させる手法、（２）電線１１１〜電線１１３の絶縁皮膜を物理的に削り取る手法などであってもよい。
【００２６】
（異線異相間ショート）
以下において、第１実施形態に係る異線異相間ショートについて、図面を参照しながら説明する。図２は、第１実施形態に係る異線異相間ショートを説明するための図である。
【００２７】
ここでは、誘電コイル１００のコイル本体１２０において、電線の束１１０のひと巻きを「相」と称する。異線異相間ショートとは、互いに異なる電線の異相間におけるショートである。ここでは、図２に示すように、第１相の電線１１３と第４相の電線１１２との間で、異線異相間ショートが生じたケースについて説明する。
【００２８】
このような異線異相間ショートによって、閉ループ１及び閉ループ２からなる１対の閉ループが構成される。具体的には、閉ループ１は、第１相の電線１１３から異線異相間ショートを介して第４相の電線１１２に至り、第４相の電線１１２から第１相の電線１１２に至る閉ループである。閉ループ２は、第４相の電線１１２から異線異相間ショートを介して第１相の電線１１３に至り、第１相の電線１１３から第４相の電線１１３に至る閉ループである。
【００２９】
電線１１２及び電線１１３は導電体であるため、電線１１１が発生する高周波磁界によって、閉ループ１及び閉ループ２に誘導電流が流れる。従って、閉ループ１及び閉ループ２を構成する部分において電線１１２及び電線１１３が発熱する。
【００３０】
ここで、上述した中間ショート部１５１及び中間ショート部１５２は、異線異相間ショートによって構成された閉ループを終端する。すなわち、中間ショート部１５１及び中間ショート部１５２は、閉ループ１及び閉ループ２の長さを短縮する。
【００３１】
また、中間ショート部１５１及び中間ショート部１５２は、本体部分１１０Ａと延長部分１１０Ｂとの境界に設けられる。従って、延長部分１１０Ｂには誘導電流が流れないことに留意すべきである。
【００３２】
（作用及び効果）
第１実施形態では、中間ショート部１５１及び中間ショート部１５２は、異線異相間ショートによって構成された閉ループの長さを短縮する。従って、異線異相間ショートが生じた場合であっても、電線の発熱を抑制することができる。
【００３３】
第１実施形態では、中間ショート部１５１及び中間ショート部１５２は、本体部分１１０Ａと延長部分１１０Ｂとの境界に設けられる。従って、異線異相間ショートが生じた場合であっても、延長部分１１０Ｂの発熱を抑制することができる。
【００３４】
なお、一般的に、駆動基板２００及びコイル本体１２０の熱容量は、延長部分１１０Ｂの熱容量に比べて大きい。また、駆動基板２００及びコイル本体１２０の近傍には、サーミスタやサーモスタットなどのように、延焼防止機構が設けられていることも多い。従って、延長部分１１０Ｂの発熱抑制が効果的であることに留意すべきである。
【００３５】
［第２実施形態］
以下において、第２実施形態について、図面を参照しながら説明する。以下においては、第１実施形態と第２実施形態との相違点について説明する。
【００３６】
具体的には、第１実施形態では、中間ショート部は、本体部分１１０Ａと延長部分１１０Ｂとの境界に設けられる。これに対して、第２実施形態では、中間ショート部は、本体部分１１０Ａに設けられる。
【００３７】
（誘電コイルの構成）
以下において、第２実施形態に係る誘電コイルについて、図面を参照しながら説明する。図３は、第２実施形態に係る誘電コイル１００の構成を示す図である。図３では、図１と同様の構成について同様の符号を付している。
【００３８】
図３に示すように、電線１１１〜電線１１３は、第１ショート部１３０と第２ショート部１４０との間において、電線の束１１０内で電線１１１〜電線１１３をショートさせた中間ショート部（中間ショート部１５３〜中間ショート部１５５）を有する。
【００３９】
中間ショート部１５３〜中間ショート部１５５は、本体部分１１０Ａに設けられる。具体的には、中間ショート部１５３〜中間ショート部１５５は、コイル本体１２０における電線の束１１０のひと巻き毎に設けられる。すなわち、中間ショート部は相毎に設けられる。
【００４０】
なお、中間ショート部は、全ての相に設けられていなくてもよい。例えば、２つの相毎に１つの中間ショート部が設けられていてもよい。
【００４１】
（異線異相間ショート）
以下において、第２実施形態に係る異線異相間ショートについて、図面を参照しながら説明する。図４は、第２実施形態に係る異線異相間ショートを説明するための図である。ここでは、第１実施形態と同様に、第１相の電線１１３と第４相の電線１１２との間で、異線異相間ショートが生じたケースについて説明する。
【００４２】
図４に示すように、中間ショート部１５５は、閉ループ１を終端する。すなわち、中間ショート部１５５は、閉ループ１の長さを短縮する。一方で、中間ショート部１５３は、閉ループ２を終端する。すなわち、中間ショート部１５３は、閉ループ２の長さを短縮する。
【００４３】
（作用及び効果）
第２実施形態では、中間ショート部１５３〜中間ショート部１５５は、異線異相間ショートによって構成された閉ループの長さを短縮する。従って、第１実施形態と同様に、異線異相間ショートが生じた場合であっても、電線の発熱を抑制することができる。
【００４４】
第２実施形態では、中間ショート部１５３〜中間ショート部１５５は、コイル本体１２０における電線の束１１０のひと巻きの相毎に設けられる。従って、異線異相間ショートによって構成された閉ループの長さを第１実施形態よりも短縮することができる。
【００４５】
［第３実施形態］
以下において、第３実施形態について、図面を参照しながら説明する。第３実施形態では、上述した誘電コイル１００を画像形成装置に適用したケースについて説明する。画像形成装置は、プリンタや複写機などである。
【００４６】
（画像形成装置の構成）
以下において、第３実施形態に係る画像形成装置について、図面を参照しながら説明する。図５は、第３実施形態に係る画像形成装置１の構成を示す図である。
【００４７】
図５に示すように、画像形成装置１は、自動原稿送り装置１０と、画像読み取り装置２０と、シート収容装置３０と、給紙装置４０と、画像形成部５０と、定着装置６０と、排紙装置７０と、反転装置８０と、操作装置９０と、制御装置３００とを有する。第３実施形態では、画像形成装置１として、電子写真方式によって、紙などのシート上にトナー像を形成するデジタル式複写機を例示する。
【００４８】
自動原稿送り装置１０は、原稿を搬送する装置である。具体的には、自動原稿送り装置１０は、原稿載置台１１と、原稿分離部１２と、原稿搬送部１３と、原稿排紙部１４と、原稿排紙台１５と、原稿反転部１６とを有する。
【００４９】
原稿載置台１１は、原稿が載置される台である。原稿分離部１２は、原稿載置台１１に複数枚の原稿が載置されている場合に、原稿を１枚ずつに分離する。原稿搬送部１３は、原稿分離部１２によって分離された原稿を画像読み取り位置に搬送するローラ群を有する。原稿排紙部１４は、原稿搬送部１３によって搬送された原稿を排紙する。原稿排紙台１５は、原稿排紙部１４によって排紙された原稿が載置される台である。原稿反転部１６は、両面複写モードにおいて原稿の表裏を反転させる。
【００５０】
画像読み取り装置２０は、原稿に含まれる画像を読み取って、画像データを生成する装置である。具体的には、画像読み取り装置２０は、スリット２１と、プラテンガラス２２と、ランプ２３と、ミラーユニット２４と、ミラーユニット２５と、結像レンズ２６と、撮像素子２７とを有する。
【００５１】
スリット２１は、ランプ２３から出射された光を透過する領域である。スリット２１から出射された光が原稿に照射される位置が画像読み取り位置である。
【００５２】
プラテンガラス２２は、自動原稿送り装置１０を用いずに原稿を複写する場合に、原稿が載置される台である。
【００５３】
ランプ２３は、原稿に照射される光を出射する。ランプ２３は、自動原稿送り装置１０を用いるケースでは、スリット２１を介して原稿に光を照射する。一方で、ランプ２３は、自動原稿送り装置１０を用いないケースでは、プラテンガラス２２の下面に沿って移動しながら原稿に光を照射する。
【００５４】
ミラーユニット２４は、原稿で反射された光を反射するミラー２４ａを有する。
【００５５】
ミラーユニット２５は、ミラー２４ａで反射された光を反射するミラー２５ａと、ミラー２５ａで反射された光を反射するミラー２５ｂとを有する。
【００５６】
結像レンズ２６は、ミラー２５ｂで反射された光を結像する。具体的には、結像レンズ２６は、原稿で反射された光を撮像素子２７上に結像する。
【００５７】
撮像素子２７は、結像レンズ２６によって結像された光を読み取る光電変換素子であり、例えば、ＣＣＤを使用できる。
【００５８】
シート収容装置３０は、シートを収容する装置である。シート収容装置３０は、複数の給紙トレイ３１（給紙トレイ３１Ａ〜給紙トレイ３１Ｃ）と、複数の給紙ローラ３２（給紙ローラ３２Ａ〜給紙ローラ３２Ｃ）と、複数の分離ローラ３３（分離ローラ３３Ａ〜分離ローラ３３Ｃ）と、フォトセンサＰＳと、手差しトレイ３４とを有する。
【００５９】
各給紙トレイ３１は、複数枚のシートを収容するトレイである。各給紙ローラ３２は、給紙トレイ３１に収容されたシートを分離ローラ３３側に引き出す。各分離ローラ３３は、給紙ローラ３２によって引き出されたシートを１枚ずつに分離する。各フォトセンサＰＳは、後述するローラＲ１〜ローラＲ３にシートが到達したか否かを検出する。手差しトレイ３４は、手差し用のシートが載置されるトレイである。
【００６０】
給紙装置４０は、画像形成部５０にシートを給紙する装置である。給紙装置４０は、複数のローラ群（ローラＲ１〜ローラＲ６）と、搬送ローラ４１と、レジストローラ４２と、転写前ローラ４３とを有する。
【００６１】
ローラＲ１は、給紙トレイ３１Ａに収容されたシートを搬送する。ローラＲ２は、給紙トレイ３１Ｂに収容されたシートを搬送する。ローラＲ３は、給紙トレイ３１Ｃに収容されたシートを搬送する。ローラＲ４〜ローラＲ６は、シート収容装置３０から搬送されたシートを搬送ローラ４１側に搬送する。
【００６２】
搬送ローラ４１は、ローラＲ６によって搬送されたシートをレジストローラ４２側に搬送する。また、搬送ローラ４１は、後述する排紙装置７０から搬送されたシートをレジストローラ４２側に搬送する。
【００６３】
レジストローラ４２は、搬送ローラ４１によって搬送されたシートを転写前ローラ４３側に搬送する。また、レジストローラ４２は、手差しトレイ３４から搬送されたシートを転写前ローラ４３側に搬送する。なお、レジストローラ４２にシートが到達した後の所定のタイミングで、画像形成部５０によるトナー像の形成が開始する。
【００６４】
転写前ローラ４３は、レジストローラ４２によって搬送されたシートを画像形成部５０側に搬送する。
【００６５】
画像形成部５０は、画像読み取り装置２０によって生成された画像データに応じて、給紙装置４０によって給紙されたシート上にトナー像を形成する。画像形成部５０は、感光体ドラム５１と、帯電器５２と、書き込み部５３と、現像器５４と、転写器５５と、分離部５６と、クリーニング部５７と、搬送ベルト５８とを有する。
【００６６】
感光体ドラム５１は、光導電性感光層が表面に形成されたドラムである。感光体ドラム５１の表面には、後述するように、静電荷によって構成される静電荷潜像が形成される。帯電器５２は、感光体ドラム５１の表面を一様に帯電させる。
【００６７】
書き込み部５３は、画像読み取り装置２０によって生成された画像データに応じて、感光体ドラム５１の表面に静電荷潜像を形成する。具体的には、書き込み部５３は、レーザ光を出射するレーザを有しており、レーザ光によって感光体ドラム５１の表面を露光する。
【００６８】
現像器５４は、感光体ドラム５１の表面に形成された静電荷潜像の反転現像を行う現像スリーブ５４ａを有する。現像スリーブ５４ａは、静電荷潜像の反転現像によって、感光体ドラム５１の表面にトナー像を形成する。
【００６９】
転写器５５は、給紙装置４０によって給紙されたシートを帯電させる転写電極を有する。転写器５５は、感光体ドラム５１の表面に形成されたトナー像をシート上に転写する。
【００７０】
分離部５６は、トナー像が形成されたシートを感光体ドラム５１から分離する。具体的には、分離部５６は、コロナ放電を行う分離電極を有しており、コロナ放電によってシートの分離を促進する。
【００７１】
クリーニング部５７は、感光体ドラム５１の表面を清掃する。具体的には、クリーニング部５７は、感光体ドラム５１の表面に残留したトナーを除去する。
【００７２】
搬送ベルト５８は、分離部５６によって分離されたシートを定着装置６０側に搬送する。
【００７３】
定着装置６０は、シート上に形成されたトナー像を熱圧着によってシートに定着させる装置である。定着装置６０は、加熱ローラ６１と、加圧ローラ６２と、クリーニングウェブ６３とを有する。
【００７４】
加熱ローラ６１は、トナー像が形成されたシートを加熱する。具体的には、加熱ローラ６１は、金属などの導電体によって構成されており、誘導電流によって発熱する。ここでは、誘電コイル１００（図５では不図示）が発生する高周波磁界によって生じる誘導電流によって加熱ローラ６１が発熱する。
【００７５】
加圧ローラ６２は、加熱ローラ６１と加圧ローラ６２との間にシートを挟みながらシートを搬送する。これによって、加圧ローラ６２は、トナー像が形成されたシートを加圧する。
【００７６】
クリーニングウェブ６３は、加圧ローラ６２に付着したトナーなどの汚れを除去する。図５では、クリーニングウェブ６３は、右側ローラから左側ローラに巻き取られる。
【００７７】
排紙装置７０は、トナー像が定着されたシートを排出する装置である。また、排紙装置７０は、両面複写モードにおいてシートの表裏を反転させる装置である。排紙装置７０は、定着排出ローラ７１と、切替部７２と、排紙ローラ７３と、排紙トレイ７４と、搬送ローラ７５と、搬送ローラ７６とを有する。
【００７８】
定着排出ローラ７１は、定着装置６０から搬送されたシートを切替部７２側に搬送する。
【００７９】
切替部７２は、定着排出ローラ７１によって搬送されたシートを排紙するか否かを切り替える。具体的には、切替部７２は、片面複写モードにおいて、シートの搬送ルートを排紙ローラ７３側に切り替える。切替部７２は、両面複写モードにおいて、シートの両面についてトナー像の形成が終了している場合には、シートの搬送ルートを排紙ローラ７３側に切り替える。一方で、切替部７２は、両面複写モードにおいて、シートの片面についてトナー像の形成が終了していない場合には、シートの搬送ルートを搬送ローラ７５側に切り替える。
【００８０】
排紙ローラ７３は、トナー像の定着が終了したシートを排紙トレイ７４側に排紙する。排紙トレイ７４は、排紙ローラ７３によって排紙されたシートを収容するトレイである。
【００８１】
搬送ローラ７５及び搬送ローラ７６は、両面複写モードにおいて、片面についてトナー像の形成が終了してないシートを反転装置８０側に搬送する。
【００８２】
反転装置８０は、片面についてトナー像の形成が終了してないシートの表裏を反転させる装置である。反転装置８０は、シートの表裏を反転させた上で、シートを再給紙する。反転装置８０は、搬送ローラ８１〜搬送ローラ８６を有する。
【００８３】
搬送ローラ８１は、排紙装置７０から搬送されたシートを図５における右方向に搬送する。続いて、搬送ローラ８１は、搬送ローラ８１の回転方向の逆転によって、シートを搬送ローラ８２側に搬送する。これによって、搬送ローラ８１は、シートの表裏を反転させる。
【００８４】
搬送ローラ８２〜搬送ローラ８６は、搬送ローラ８１によって搬送されたシートを画像形成部５０側に搬送する。すなわち、搬送ローラ８２〜搬送ローラ８６は、画像形成部５０にシートを再給紙する。
【００８５】
操作装置９０は、画像形成装置１の操作を行うためのユーザインタフェースである。操作装置９０は、タッチパネル式の液晶パネル、ボタン及びスイッチによって構成される。例えば、操作装置９０は、画像形成装置１の電源を投入するための電源スイッチ９１と、複写の開始を行うための開始ボタン９２とを有する。
【００８６】
制御装置３００は、予め格納されたプログラムに応じて、画像形成装置１の動作を統括的に制御する。例えば、制御装置３００は、定着装置６０に設けられた加熱ローラ６１の発熱量などを制御する。
【００８７】
（定着装置の構成）
以下において、第３実施形態に係る定着装置の構成について、図面を参照しながら説明する。図６及び図７は、第３実施形態に係る定着装置６０の一部拡大図である。なお、図６では、第３実施形態を説明するために必要な構成のみが示されており、他の構成が省略されている。
【００８８】
図６に示すように、定着装置６０は、上述した加熱ローラ６１及び加圧ローラ６２に加えて、固定台６４と、誘電コイル１００とを有する。
【００８９】
固定台６４は、誘電コイル１００のコイル本体１２０が固定される台である。具体的には、本体部分１１０Ａを構成する電線の束１１０が固定台６４に巻き回されている。ここでは、固定台６４は、加熱ローラ６１の表面と誘電コイル１００との距離を一定に保つように、加熱ローラ６１の表面に沿った円弧状の形状を有する。固定台６４は、熱容量が大きい耐熱性物質で構成されることが好ましい。
【００９０】
誘電コイル１００は、上述した第１実施形態又は第２実施形態と同様の構成を有している。従って、誘電コイル１００の説明については省略する。
【００９１】
図７は、図６に示す定着装置６０をＡ方向から見た図である。なお、図７は、第３実施形態を説明するための模式図であることに留意すべきである。
【００９２】
図７に示すように、制御装置３００は、サーモスタット４２０を介して電源４１０に接続された駆動基板２００と、サーミスタ４３０に接続された制御基板３１０とを有する。
【００９３】
電源４１０は、駆動基板２００に電力を供給する。なお、図７では特に示していないが、電源４１０は、制御装置３００にも電力を供給する。サーモスタット４２０は、温度が一定以上となった場合に、電源４１０から駆動基板２００に供給される電力を遮断する。サーミスタ４３０は、加熱ローラ６１の表面温度を検出するために設けられている。
【００９４】
制御基板３１０は、サーミスタ４３０によって検出された温度に応じて、加熱ローラ６１の表面温度が所定範囲内に保たれるように駆動基板２００を制御する。
【００９５】
駆動基板２００は、制御基板３１０による制御に応じて、高周波電流を誘電コイル１００に供給する。
【００９６】
ここで、誘電コイル１００は、高周波電流によって高周波磁界を発生させる。加熱ローラ６１には、高周波磁界によって誘導電流が流れる。加熱ローラ６１は、誘導電流によって発熱する。
【００９７】
なお、画像形成装置１では、画像形成装置１に設けられた各構成の配置の関係上、駆動基板２００とコイル本体１２０との距離が長いことが一般的である。すなわち、画像形成装置１では、延長部分１１０Ｂが長いことが一般的である。
【００９８】
（作用及び効果）
第３実施形態では、延長部分１１０Ｂが長いことが一般的である画像形成装置１に誘電コイル１００が適用される。従って、延長部分１１０Ｂの発熱に起因する不具合を効率的に防ぐことができる。
【００９９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１００】
例えば、第１実施形態及び第２実施形態を組み合わせてもよい。すなわち、電線１１１〜電線１１３は、中間ショート部１５１〜中間ショート部１５５の全てを有していてもよい。
【０１０１】
上述した第１実施形態では、電線１１１〜電線１１３は、本体部分１１０Ａと延長部分１１０Ｂとの境界に中間ショート部を有する。しかしながら、電線１１１〜電線１１３は、第１ショート部１３０と第２ショート部１４０との間において、いずれかの部分に中間ショート部を有していればよい。
【０１０２】
上述した第３実施形態では、誘電コイル１００が画像形成装置１に適用されるケースについて例示した。しかしながら、誘電コイル１００は、誘電コイル１００が発生する高周波磁界によって誘導電流が流れる導電体を有する他の誘導加熱装置、例えば、電磁調理器に適用されてもよい。
【図面の簡単な説明】
【０１０３】
【図１】第１実施形態に係る誘電コイル１００の構成を示す図である。
【図２】第１実施形態に係る異線異相間ショートを説明するための図である。
【図３】第２実施形態に係る誘電コイル１００の構成を示す図である。
【図４】第２実施形態に係る異線異相間ショートを説明するための図である。
【図５】第３実施形態に係る画像形成装置１の構成を示す図である。
【図６】第３実施形態に係る定着装置６０の一部拡大図である。
【図７】第３実施形態に係る定着装置６０の一部拡大図である。
【符号の説明】
【０１０４】
１・・・画像形成装置、１０・・・自動原稿送り装置、１１・・・原稿載置台、１２・・・原稿分離部、１３・・・原稿搬送部、１４・・・原稿排紙部、１５・・・原稿排紙台、１６・・・原稿反転部、２０・・・画像読み取り装置、２１・・・スリット、２２・・・プラテンガラス、２３・・・ランプ、２４・・・ミラーユニット、２５・・・ミラーユニット、２６・・・結像レンズ、２７・・・撮像素子、３０・・・シート収容装置、３１・・・給紙トレイ、３２・・・給紙ローラ、３３・・・分離ローラ、３４・・・手差しトレイ、４０・・・給紙装置、４１・・・搬送ローラ、４２・・・レジストローラ、４３・・・転写前ローラ、５０・・・画像形成部、５１・・・感光体ドラム、５２・・・帯電器、５３・・・書き込み部、５４・・・現像器、５５・・・転写器、５６・・・分離部、５７・・・クリーニング部、５８・・・搬送ベルト、６０・・・定着装置、６１・・・加熱ローラ、６２・・・加圧ローラ、６３・・・クリーニングウェブ、６４・・・固定台、７０・・・排紙装置、７１・・・定着排出ローラ、７２・・・切替部、７３・・・排紙ローラ、７４・・・排紙トレイ、７５・・・搬送ローラ、７６・・・搬送ローラ、８０・・・反転装置、８１〜８６・・・搬送ローラ、９０・・・操作装置、９１・・・電源スイッチ、９２・・・開始ボタン、１００・・・誘電コイル、１１０・・・電線の束、１１０Ａ・・・本体部分、１１０Ｂ・・・延長部分、１１１〜１１３・・・電線、１２０・・・コイル本体、１３０・・・ショート部、１４０・・・ショート部、１５１〜１５５・・・中間ショート部、２００・・・駆動基板、３００・・・制御装置、３１０・・・制御基板、４１０・・・電源、４２０・・・サーモスタット、４３０・・・サーミスタ
【図１】
2009258189.tif 000003
【図２】
2009258189.tif 000004
【図３】
2009258189.tif 000005
【図４】
2009258189.tif 000006
【図５】
2009258189.tif 000007
【図６】
2009258189.tif 000008
【図７】
2009258189.tif 000009